(57)【特許請求の範囲】
【請求項１】
第１の記録媒体の予め区分された記録領域毎に記録されているデータを読み取る読取手段と、
この読取手段によって読み取られたデータを、複数のトラック及び該各トラックに対応するトラック番号を管理する為の管理領域を有する第２の記録媒体に記録する記録手段と、
前記第１の記録媒体における前記データの記録位置に基づいて、複数の前記データの中から優先的に再生すべきメインデータを認識する認識手段と、
を具備する記録装置であって、
前記記録手段は、前記認識手段により認識された前記メインデータを第１の圧縮方式で圧縮して前記第２の記録媒体に記録し、前記第１の記録媒体に記録されている前記メインデータ以外のデータを、前記第１の圧縮方式よりも圧縮率が高い第２の圧縮方式で圧縮して前記第２の記録媒体に記録すると共に、
前記記録手段が複数の前記メインデータを前記第２の記録媒体に記録する場合は、前記メインデータが記録された前記第２の記録媒体のトラックに対応するトラック番号が、当該メインデータ以外のデータが記録された該第２の記録媒体の何れのトラックに対応するトラック番号よりも再生順位が上位、且つ、連続する値となる様に、前記管理領域にて管理されるトラック番号を編集する編集手段を更に備えることを特徴とする記録装置。
【請求項２】
前記第２の記録媒体は、光磁気ディスクであり、
前記編集手段は、当該光磁気ディスクのＵＴＯＣエリアのトラック番号を管理する領域に記録されるトラック番号を編集することを特徴とする請求項１記載の記録装置。
【請求項３】
前記第１の記録媒体は複数のトラックを有する記録媒体であり、
前記認識手段は、複数の前記データの内、最も上位のトラック番号が割り当てられたトラックに記録されているデータを前記メインデータとして認識することを特徴とする請求項１記載の記録装置。
【発明の詳細な説明】
【０００１】
【発明の属する技術分野】
本発明は、ＭＤ等の記録媒体に音楽データ等を記録する記録装置に関する。
【０００２】
【従来の技術】
従来より、ＣＤ（Compact Disc）に対応する再生部と、ＭＤ（Mini Disc）に対応する記録再生部とを同一の筐体内に配置したオーディオ機器が提供されている。このオーディオ機器によれば、ＣＤ又はＭＤを用いた再生が楽しめるだけでなく、ＣＤからＭＤへのダビング（記録）も簡単に行えるダビングスイッチ等が設けられている。
【０００３】
また、ＣＤ／ＭＤ一体型のオーディオ機器には、ＡＴＲＡＣ（Adaptive TRansform Acoustic Cording）やＡＴＲＡＣ３等の音声圧縮技術に対応するＭＤ用録音モードが搭載されている。また、ＣＤ／ＭＤ一体型のオーディオ機器では、予め複数のＣＤをセット可能なものもあり、上記の様なダビングスイッチの操作を行うと、例えば、セットされた複数のシングルＣＤに記録されている音楽データが自動的に再生されて一定の録音モードでＭＤに記録される。
【０００４】
【発明が解決しようとする課題】
しかしながら、上記従来のＣＤ／ＭＤ一体型のオーディオ機器におけるＣＤからＭＤへのダビング処理では、全ての音楽データが一定の録音モードで記録されていた為、以下の様な問題があった。
【０００５】
即ち、多くの場合シングルＣＤの１曲目が特に重要なオリジナル曲であるにも拘らず、２曲目以降のカラオケ曲等を含む全ての音楽データが一定の録音モードでＭＤに記録されてしまうので、ＭＤの記憶容量を必要以上に浪費してしまうという問題があった。
【０００６】
また、曲毎に録音モードをマニュアルで再設定することは可能であるが、操作が煩雑であり、ダビングモードにおける操作の利便性を生かすことができなかった。
【０００７】
本発明の課題は、簡便な操作で重要な音楽データと、それ以外の音楽データの録音モードを適宜変更してＣＤからＭＤへダビングすることにより、ＭＤの記録領域を節約できる記録装置を提供することである。
【０００８】
【課題を解決するための手段】
本発明は、この様な課題を達成するために、次のような特徴を備えている。なお、次に示す手段の説明中、括弧書きにより実施の形態に対応する構成を１例として例示する。また、符号等は添付する図面の参照符号である。
【０００９】
請求項１記載の発明は、第１の記録媒体の予め区分された記録領域毎に記録されているデータを読み取る読取手段（例えば、ＣＤ再生部２）と、
この読取手段によって読み取られたデータを、複数のトラック及び該各トラックに対応するトラック番号を管理する為の管理領域を有する第２の記録媒体に記録する記録手段（例えば、ＭＤ記録再生部３）と、
前記第１の記録媒体における前記データの記録位置に基づいて、複数の前記データの中から優先的に再生すべきメインデータを認識する認識手段（例えば、システムコントローラ１）と、を具備する記録装置であって、
前記記録手段は、前記認識手段により認識された前記メインデータを第１の圧縮方式で圧縮して前記第２の記録媒体に記録し、前記第１の記録媒体に記録されている前記メインデータ以外のデータを、前記第１の圧縮方式よりも圧縮率が高い第２の圧縮方式で圧縮して前記第２の記録媒体に記録すると共に、
前記記録手段が複数の前記メインデータを前記第２の記録媒体に記録する場合は、前記メインデータが記録された前記第２の記録媒体のトラックに対応するトラック番号が、当該メインデータ以外のデータが記録された該第２の記録媒体の何れのトラックに対応するトラック番号よりも再生順位が上位、且つ、連続する値となる様に、前記管理領域にて管理されるトラック番号を編集する編集手段（例えば、ＭＤ記録再生部３）を更に備えることを特徴としている。
【００１０】
請求項１記載の発明において、読取手段は、第１の記録媒体の予め区分された記録領域毎に記録されているデータを読み取る。記録手段は、読取手段が読み取ったデータを圧縮して第２の記録媒体に記録する。これにより、第２の記録媒体の記録領域を節約できる。また、このとき記録手段は、認識手段が認識するメインデータを、第1の圧縮方式で圧縮して第２の記録媒体に記録し、第1の記録媒体に記録されているメインデータ以外のデータを第1の圧縮方式よりも圧縮率が高い第２の圧縮方式で圧縮して第２の記録媒体に記録するので、重要なデータ即ちメインデータを記録するに当たって、そのデータ品質が低下することを回避できる。また、重要なメインデータとそれ以外のデータとの記録方式の変更が実質的に自動化されるので、ユーザの操作負担を軽減できる。
【００１１】
具体的には、第1の記録媒体に予め音楽データが記録されており、この音楽データを第２の記録媒体に記録する場合、重要な曲に対応する音楽データをメインデータとして認識手段に認識させる様にすれば、簡便な操作で重要な音楽データと、それ以外の音楽データの録音モードが適宜変更されて第1の記録媒体から第２の記録媒体へ記録（ダビング）すること等が実現される。この場合、第２の記録媒体の記録領域を節約でき、しかもその第２の記録媒にダビングされた重要な曲を再生する際には、この重要な曲の音質の低下を回避できる。
【００１２】
また、第２の記録媒体は、複数のトラック及び該各トラックに対応するトラック番号を管理する為の管理領域を有する。この第２の記録媒体の各トラックに記録されたデータを再生する際は、トラック番号順にデータが再生されるわけであるが、編集手段が、メインデータが記録される第２の記録媒体のトラックに対応するトラック番号が当該メインデータ以外のデータが記録される第２の記録媒体の何れのトラックに対応するトラック番号よりも再生順位が上位になる様に、第２の記録媒体上のトラック番号を管理する為の管理領域にて管理されるトラック番号を編集するので、メインデータが記録されているトラックを検索する操作をせずにメインデータのみをいち早く再生できるという利便性を提供できる。
【００１３】
さらに、記録手段が複数のメインデータを第２の記録媒体に記録する場合は、編集手段が、これら複数のメインデータを記録する第２の記録媒体のトラックに対応するトラック番号が連続する値となる様に第２の記録媒体の管理領域にて管理されるトラック番号を編集するので、ユーザは第２の記録媒体の各トラックに記録されたデータを再生する際は、重要なメインデータのみを連続して再生できるという利便性がある。
【００１６】
請求項２記載の発明は、請求項１記載の記録装置において、
前記第２の記録媒体は、光磁気ディスクであり、
前記編集手段は、当該光磁気ディスクのＵＴＯＣエリアのトラック番号を一元管理する領域に記録されるトラック番号を編集することを特徴としている。
【００１７】
ここで、ＵＴＯＣエリアは、第２の記録媒体の各トラックに対応するトラック番号の他、そのトラックの記録日時、トラック名、及び記録するデータのスタートアドレスやエンドアドレス等の属性を記録する為の所定の管理領域である。
【００１８】
請求項２記載の発明によれば、編集手段は、第２の記録媒体のＵＴＯＣエリアにて管理されるトラック番号を編集するので、各トラック番号を編集する為の領域を共用することができる。これにより、トラック番号の編集を迅速且つ的確に行える。
【００１９】
請求項３記載の発明は、請求項１記載の記録装置において、
前記第１の記録媒体は複数のトラックを有する記録媒体であり、
前記認識手段は、複数の前記データの内、最も上位のトラック番号が割当てられたトラックに記録されているデータを前記メインデータとして認識することを特徴としている。
【００２０】
請求項３記載の発明において、認識手段は、複数のデータの内、最も上位のトラック番号が割り当てられたトラックに記録されているデータを前記メインデータとして認識する。従って、記録媒体として例えばシングルＣＤを採用する場合は、そのシングルＣＤにおける最も上位のトラック番号が割り当てられたトラックに記録されている嗜好性の高い１曲目の音楽データを記録する際の利便性を向上できる。
【００２１】
【発明の実施の形態】
図１は、本発明を適用したオーディオ機器の主要部構成を示すブロック図である。図示の様に、オーディオ機器１０は、システムコントローラ１、ＣＤ再生部２、ＭＤ記録再生部３、操作部４、表示部５、及びＤ／Ａ変換器６を備える。
【００２２】
尚、図１はオーディオ機器１０に特有な機能を実現する為の構成要素を特に示すものであり、当該オーディオ機器１０が周知の一般的なオーディオ機器としての機能を実現する為に必要な構成要素の図示は省略している。また、以下には、当該オーディオ機器１０の各構成要素の特徴的な機能について説明するが、各々の構成要素は、その構成要素が備えるべき周知の機能や手段等を有しているのは勿論である。
【００２３】
システムコントローラ１は、図示はしないが不揮発性の内部メモリと揮発性のワークメモリとを備えており、内部メモリが記憶するシステムプログラムをワークメモリに展開し、展開したシステムプログラムに規定された手順に従って、当該オーディオ機器１０の機能を実現すべく各構成要素に制御信号を出力してこれらを統括的に制御する。
【００２４】
また、そのシステムプログラムには、システムコントローラ１が後述する図２、図３、及び図５に示す処理を行う為のプログラムコードが含まれており、システムコントローラ１は、それらのプログラムコードに応じた動作を実行する。
【００２５】
また、システムコントローラ１は、記録モード設定部１１を備える。記録モード設定部１１は、システムコントローラ１による上記プログラムコードの実行に起因する内部割込み或いは操作者の操作に起因する外部割込みに応じて、音楽データの圧縮方式を、ＡＴＲＡＣ又は該ＡＴＲＡＣよりも圧縮率の高いＡＴＲＡＣ３（ＬＰ２及びＬＰ４を含む。）の何れに設定するかの記録モード設定信号をＭＤ記録再生部３に出力する。
【００２６】
ＣＤ再生部２は、複数枚のＣＤを装填する為のＣＤ装填部、スピンドルモータ、及び光ピックアップ等（何れも図示せず）を備える。
【００２７】
ここでＣＤは、直径１２ｃｍのＣＤ及び直径８ｃｍのＣＤ（「シングルＣＤ」と称されている）を含む。シングルＣＤには、２又は３曲分の音楽データが予め記録されている。このシングルＣＤの最も内周側のトラック、即ち１曲目には、概ね多くのユーザによって好まれる嗜好性の高い曲に対応する音楽データ（以下、「メインデータ」と記す。）が記録されており、２曲目以降には、例えばカラオケ曲等が記録されている。
【００２８】
ＣＤ装填部は、上述の様に複数枚のＣＤを装填し得るものであるが、各々のＣＤを個別に受け入れる部位を複数有して成る。それら部位の各々には、ディスク番号が割り当てられており、システムコントローラ１は、このディスク番号によって各ＣＤを識別する。
【００２９】
スピンドルモータは、ＣＤ装填部に装填されるＣＤを回転駆動する。光ピックアップは、スピンドルモータで回転駆動されるＣＤにレーザ光を照射し、その反射光を電気信号に変換することでＣＤに記録されている音楽データを読み取り、読み取った音楽データをＭＤ記録再生部３又はＤ／Ａ変換器６へ出力する。
【００３０】
ＭＤ記録再生部３は、ＭＤを装填する為のＭＤ装填部、圧縮部、スピンドルモータ、光ピックアップ、及び記録用磁気ヘッド、及びＭＤ記録再生回路等（何れも図示せず）を備える。
【００３１】
ＭＤは、データ書換え可能な光磁気ディスクであり、そのディスク表面には複数のトラックが螺旋状に形成される。各々のトラックには、一曲分の音楽データが記録される。また、ＭＤの所定の内周トラック（ＵＴＯＣエリアと称される。）には、ＵＴＯＣ（User Table Of Contents）が予め記録されている。
【００３２】
ここで、ＵＴＯＣは、各トラックに割り当てるトラック番号（以下、適宜「ＴＮＯ」とも表記する。）、トラック名（曲名）、記録日時、及び音楽データのスタートアドレス及びエンドアドレス等を一元管理する為の情報である。
【００３３】
ＭＤ装填部は、ＭＤを装填する為のものである。スピンドルモータは、ＭＤ装填部に装填されるＭＤを回転駆動する。圧縮部は、システムコントローラ１の記録モード設定部１１から入力される記録モード設定信号に応じて、ＡＴＲＡＣ又はＡＴＲＡＣ３（ＬＰ２及びＬＰ４を含む。）等の圧縮方式を設定して、ＣＤ再生部２から入力される音楽データを圧縮する。
【００３４】
光ピックアップは、スピンドルモータで回転駆動されるＭＤの各トラックに対し、ＵＴＯＣに管理されているトラック番号順にレーザ光を照射し、その反射光を電気信号に変換することで各トラックに記録されている音楽データを読み取り、読み取った音楽データをＤ／Ａ変換器６へ出力する。この様にして、ＭＤ記録再生部３は、ＭＤに記録された音楽データをトラック番号順に再生する。
【００３５】
また、光ピックアップは、音楽データの記録時においてＭＤに対してレーザ光を照射することにより、ＭＤを局所的にキュリー温度に達するまで過熱させる。記録用磁気ヘッドは、光ピックアップによって加熱され、且つスピンドルモータによって回転駆動されるＭＤに対し、圧縮部で圧縮された音楽データに応じた磁場を印加することにより、当該圧縮された音楽データをＭＤに記録する。また、記録用磁気ヘッドは、音楽データを記録する過程でＵＴＯＣに管理されているトラック番号を書き換えることにより、各音楽データに対応するトラックに対し、システムコントローラ１からの指示に応じたトラック番号を割り当てる。
【００３６】
ＭＤ記録再生回路は、ＣＤ再生部２から入力される各種音楽データに対するエンコード／デコード、音声データの一時記録、及びシステムコントローラ１の制御に基づいたＭＤの記録・再生・除去に係る各種デジタル信号処理を行う。即ち、記録時には、ＣＤ再生部２から入力される音楽データをＭＤフォーマットにエンコードし、ＣＩＲＣエンコード、ＥＦＭ変調等のエンコード処理を施した信号を記録用磁気ヘッドに出力する。
【００３７】
また、再生時には、光ピックアップが読み出した信号をＥＦＭ変調し、更にＣＩＲＣ変調して得られるＭＤフォーマットの信号をデコードして圧縮データを生成する。そして、ＡＴＲＡＣ又はＡＴＲＡＣ３方式により圧縮データを音声データに復元してＤ／Ａ変換機６に出力する。
【００３８】
更に、消去時には、ＭＤから読み出されるＵＴＯＣ情報をデコードして、システムコントローラ１に出力し、またシステムコントローラ１から入力されるＵＴＯＣ情報を、エンコード処理してＵＴＯＣ情報記録エリアに記録させる。或いは、システムコントローラ１から入力される制御信号に従って、スピンドルモータ、光ピックアップ、及び記録用磁気ヘッド等を駆動制御する為の制御信号を生成する。
【００３９】
操作部４は、ＣＤ再生部２に装填された複数枚のＣＤ（シングルＣＤ）の全音楽データを、ＭＤ記録再生部３に装填にされたＭＤに順次ダビングする際に操作するダビングキー、ＭＤ又はＣＤの再生を指示する為の再生キー、ＭＤの記録モードをマニュアル設定する為の記録モード設定キー等を備えており、これらのキーが押下操作されると、その押下されたキーに対応する押下信号をシステムコントローラ１へ出力する。
【００４０】
表示部５は、システムコントローラ１による制御のもと、録音の進行状況、ＭＤ又はＣＤの総演奏時間、トラック番号等を表示し、例えば、液晶表示装置（ＬＣＤ）等により構成される。
【００４１】
Ｄ／Ａ変換器６は、ＭＤ又はＣＤの再生の際に、ＣＤ再生部２又はＭＤ記録再生部３から入力されるデジタルデータである音楽データをアナログ音楽信号に変換して、オーディオ出力端子６１に接続される図示しない増幅器やスピーカ等に出力する。
【００４２】
以下、オーディオ機器１の動作について、図２乃至図６を参照して説明する。
【００４３】
図２は、オーディオ機器１における動作シーケンスの一態様を示すフローチャートである。ユーザは、予めＣＤ再生部２のＣＤ装填部に複数枚のシングルＣＤを装填すると共に、ＭＤ記録再生部３のＭＤ装填部に録音用のＭＤを設定しておく。この様な状態で、ユーザは、操作部４の例えばダビングキーを押下操作する。この操作により、記録開始信号がシステムコントローラ１に入力される（ステップＳ２０１）。
【００４４】
システムコントローラ1は、その記録開始信号を検知すると、各シングルＣＤのディスク番号に対応するパラメータであるＤＮＯに１を設定する（ステップＳ２０２）。次いで、システムコントローラ１は、ＤＮＯに現在設定されている値のディスク番号に対応するシングルＣＤがＣＤ装填部に装填されているか否かを判定する（ステップＳ２０３）。
【００４５】
そのディスク番号に対応するシングルＣＤが装填されていなければ（ステップＳ２０３；ＮＯ）、後述するステップＳ２１２へ進む。一方、そのディスク番号に対応するシングルＣＤが装填されていれば（ステップＳ２０３；ＹＥＳ）、システムコントローラ１の記録モード設定部１１は、圧縮方式を比較的圧縮率の低いＡＴＲＡＣに設定する旨の記録モード設定信号をＭＤ記録再生部３へ出力する（ステップＳ２０４）。
【００４６】
次いで、システムコントローラ１は、ＣＤ再生部２を制御することにより、シングルＣＤの１曲目に記録されているメインデータの再生（PLAY）を開始（START）させると共に、ＭＤ記録再生部３を制御することにより、メインデータの記録（REC）を開始（START）させる。このとき、ＭＤ記録再生部３は、ＣＤ再生部２が再生するメインデータを、ステップＳ２０４で設定されたＡＴＲＡＣ方式で圧縮してＭＤへ記録する（ステップＳ２０５）。
【００４７】
その過程で、システムコントローラ１は、メインデータの再生終了を判定し（ステップＳ２０６）、メインデータの再生が終了した場合、メインデータのＭＤへの記録を停止させる（ステップＳ２０７）。具体的には、システムコントローラ１は、ＣＤ再生部２及びＭＤ記録再生部３に制御信号を出力して、ＣＤ再生部２を再生待機（PLAY PAUSE）状態に、ＭＤ記録再生部３を録音停止（REC STOP）状態に、夫々遷移させる。
【００４８】
次いで、システムコントローラ１の記録モード設定部１１は、圧縮方式をＡＴＲＡＣから、それよりも高圧縮率のＡＴＲＡＣ３へ切替える旨の記録モード設定信号をＭＤ記録再生部３に出力する（ステップＳ２０８）。次いで、システムコントローラ１は、ＣＤ再生部２を制御することにより、シングルＣＤにおける２曲目以降の音楽データの再生（PLAY）を開始（START）させると同時に、ＭＤ記録再生部３を制御することにより、その音楽データを、ステップＳ２０８で設定したＡＴＲＡＣ３方式で圧縮してＭＤへ記録（REC）させる（ステップＳ２０９）。
【００４９】
その過程で、システムコントローラ１は、メインデータ以外の全ての音楽データの再生が終了したか否かを判定する（ステップＳ２１０）。この判定は、全ての音楽データの再生が終了するまで行われる（ステップＳ２１０；ＮＯ）。全ての音楽データの再生が終了した場合（ステップＳ２１０；ＹＥＳ）、システムコントローラ１は、ＣＤ再生部２及びＭＤ記録再生部３に制御信号を出力して、ＣＤ再生部２を再生停止（PLAY STOP）状態に、ＭＤ記録再生部３を録音停止（REC STOP）状態に、夫々遷移させることにより、音楽データのＭＤへの記録を停止する（ステップＳ２１１）。
【００５０】
システムコントローラ１は、音楽データのＭＤへの記録を停止させた場合、又はステップＳ２０３においてディスク番号に対応するシングルＣＤが装填されていないと判定した場合（ステップＳ２０３；ＮＯ）は、パラメータＤＮＯの値を１増加する（ステップＳ２１２）。次いで、システムコントローラは、現在のＤＮＯの値が、ＣＤ装填部に装填し得る最大のＣＤ枚数を超えたか否か判定する（ステップＳ２１３）。
【００５１】
ＤＮＯの値が、まだ最大のＣＤ枚数を超えない場合は（ステップＳ２１３；ＮＯ）、再びステップＳ２０３に戻る。一方、ＤＮＯの値が最大のＣＤ枚数を超えた場合は（ステップＳ２１３；ＹＥＳ）、当該処理を終了する。
【００５２】
図３は、オーディオ機器１における動作シーケンスの変形例を示すフローチャートである。ユーザは、予めＣＤ再生部２に複数のシングルＣＤを装填すると共に、ＭＤ記録再生部３に録音用のＭＤを設定しておく。
【００５３】
この様な状態で、ユーザは操作部４のダビングキーを押下操作する。この操作により、記録開始信号がシステムコントローラ１に入力される（ステップＳ３０１）。システムコントローラ1は、その記録開始信号を検知すると、パラメータＤＮＯに１を設定する（ステップＳ３０２）。次いで、システムコントローラ１は、ＤＮＯに対応するシングルＣＤがＣＤ装填部に装填されているか否かを判定する（ステップＳ３０３）。
【００５４】
そのディスク番号に対応するシングルＣＤが装填されていなければ（ステップＳ３０３；ＮＯ）、後述するステップＳ３１３へ進む。一方、そのディスク番号に対応するシングルルＣＤが装填されているならば（ステップＳ３０３；ＹＥＳ）、システムコントローラ１の記録モード設定部１１は、圧縮方式を比較的圧縮率の低いＡＴＲＡＣに設定する旨の記録モード設定信号をＭＤ記録再生部３へ出力する（ステップＳ３０４）。
【００５５】
次いで、システムコントローラ１は、ＣＤ再生部２を制御することにより、シングルＣＤの１曲目に記録されているメインデータの再生（PLAY）を開始（START）させると共に、ＭＤ記録再生部３を制御することにより、メインデータの記録（REC）を開始（START）させる。このとき、ＭＤ記録再生部３は、ＣＤ再生部２が再生するメインデータをステップＳ３０４で記録モード設定部１１により設定されたＡＴＲＡＣ方式で圧縮してＭＤへ記録する（ステップＳ３０５）。
【００５６】
ＭＤ記録再生部３は、メインデータの記録に際してＭＤ上におけるメインデータの記録開始アドレスや終了アドレス等をＵＴＯＣエリアに書き込むことによりＭＤ上にトラックを設定すると共に、設定したトラックに対応するトラック番号をＵＴＯＣエリアに書き込む。
【００５７】
その過程で、システムコントローラ１は、メインデータの再生が終了したか否かを判定し（ステップＳ３０６）、メインデータの再生が終了すると（ステップＳ３０６；ＹＥＳ）、システムコントローラ１は、メインデータのＭＤへの記録を一旦停止させる（ステップＳ３０７）。
【００５８】
このとき、システムコントローラ１は、ＭＤ記録再生手段３がメインデータを低圧縮率（ＡＴＲＡＣ）で記録したＭＤ上のトラック（以下、「低圧縮トラック」と記す。）を認識しておく（ステップＳ３０８）。この認識は、低圧縮トラックのトラック番号をワークメモリに一旦記憶させることにより行う。
【００５９】
次いで、システムコントローラ１の記録モード設定部１１は、圧縮方式をＡＴＲＡＣからＡＲＴＲＡＣ３へ切替える旨の記録モード設定信号をＭＤ記録再生部３に出力する（ステップＳ３０９）。次いで、システムコントローラ１は、ＣＤ再生部２を制御することにより、シングルＣＤにおける２曲目以降の音楽データの再生（PLAY）を開始（START）させると同時に、ＭＤ記録再生部３を制御することにより、その音楽データを、ステップＳ２０８で設定したＡＴＲＡＣ３方式で圧縮してＭＤへ記録（REC）させる（ステップＳ３１０）。
【００６０】
ＭＤ記録再生部３は、ＡＴＲＡＣ３方式で圧縮した音楽データの記録に際して、ＭＤ上における音楽データの記録開始アドレスや終了アドレス等をＵＴＯＣエリアに書き込むことによりＭＤ上にトラックを生成すると共に、生成した各トラックに対応するトラック番号をＵＴＯＣエリアに書き込む。
【００６１】
その過程で、システムコントローラ１は、メインデータ以外の全ての音楽データが終了したか否かを判定する（ステップＳ３１１）。この判定は、全ての音楽データの再生が終了するまで行う（ステップＳ３１１；ＮＯ）。全ての音楽データの再生が終了した場合（ステップＳ３１１；ＹＥＳ）、システムコントローラ１は、音楽データのＭＤへの記録を停止させる（ステップＳ３１２）。
【００６２】
システムコントローラ１は、音楽データのＭＤへの記録を停止させた場合、又はステップＳ３０３においてディスク番号に対応するＣＤが装填されていないと判定した場合（ステップＳ３０３；ＮＯ）は、パラメータＤＮＯの値を１増加する（ステップＳ３１３）。次いで、システムコントローラは、現在のＤＮＯの値が、ＣＤ装填部に装填し得る最大のＣＤ枚数を超えたか否か判定する（ステップＳ３１４）。
【００６３】
ＤＮＯの値が、まだ最大のＣＤ枚数を超えない場合は（ステップＳ３１４；ＮＯ）、再びステップＳ３０３に戻る。一方、ＤＮＯの値が最大のＣＤ枚数を超えたと判定された場合は（ステップＳ３１４；ＹＥＳ）ステップＳ３１５へ進む。
【００６４】
ここで、ステップＳ３１４において”ＹＥＳ”と判定された際の、ＭＤの記録領域について図４（ａ）に示す具体例を参照して説明する。図４（ａ）において、「ＴＮＯ１」から「ＴＮＯ８」はＭＤのトラック番号を表しており、「Ａ」から「Ｈ」は、各トラックに記録された音楽データを表している。
【００６５】
例えば、図４（ａ）において、トラック番号「ＴＮＯ１」が割り当てられているトラックには音楽データ「Ａ」が記録されており、トラック番号「ＴＮＯ２」が割り当てられているトラックには音楽データ「Ｂ」が記録されている。
【００６６】
尚、図４（ａ）において斜線を付した３つの音楽データ（「Ａ」、「Ｄ」、及び「Ｇ」）は何れもメインデータを表している。即ち、このＭＤには、シングルＣＤ３枚分の音楽データが記録されている。システムコントローラ１は、ステップＳ３０８において、各低圧縮トラックのトラック番号（「ＴＮＯ１」、「ＴＮＯ４」、及び「ＴＮＯ７」）をワークメモリに記憶したので、これら斜線を付したメインデータを他の音楽データから識別できる。
【００６７】
次いで、システムコントローラは、ステップＳ３０８において認識した各低圧縮トラックのトラック番号が、メインデータ以外の音楽データが記録されている何れのトラックのトラック番号よりも若くなる様に、各トラックに割り当てられているトラック番号を変更する（ステップＳ３１５）。このトラック番号の変更は、ＵＴＯＣエリアにて管理されているトラック番号を再編集することにより行う。
【００６８】
ここで、ステップＳ３１５における処理を図４（ｃ）に示す具体例を参照して説明する。ステップＳ３１５においてシステムコントローラ１は、認識した各低圧縮トラックのトラック番号（変更前においては、「ＴＮＯ１」、「ＴＮＯ４」、及び「ＴＮＯ７」）が、メインデータ以外の音楽データが記録されているトラックのトラック番号（変更前においては、「ＴＮＯ２」、「ＴＮＯ３」、「ＴＮＯ５」、「ＴＮＯ６」、及び「ＴＮＯ８」）よりも上位になる様に、各トラックに割り当てられているトラック番号を次の様に変更する。
【００６９】
即ち、システムコントローラ１は先ず、メインデータ（「Ａ」、「Ｄ」、及び「Ｇ」）が格納されているトラックのトラック番号「ＴＮＯ１」「ＴＮＯ４」「ＴＮＯ７」を夫々、「ＴＮＯ１」、「ＴＮＯ２」、「ＴＮＯ３」に変更する。
【００７０】
次いで、システムコントローラ１は、メインデータ以外の音楽データが記録されているトラックに、ＴＮＯ３に続けてＴＮＯ４から昇順にトラック番号を割り当てる。かくして、トラック番号が変更され、当該処理が終了する。
【００７１】
上記の様にして音楽データが記録されたＭＤを再生する際は、ＭＤ記録再生部３がトラック番号順に音楽データを再生するので、ユーザはメインデータのみをいち早く聴くことができる。
【００７２】
図５は、オーディオ機器１における動作シーケンスの更に別の変形例を示すフローチャートである。ユーザは、予めＣＤ再生部２に複数のシングルＣＤを装填すると共に、ＭＤ記録再生部３に録音用のＭＤを設定しておく。
【００７３】
この様な状態で、ユーザは操作部４のダビングキーを押下操作する。この操作により、記録開始信号がシステムコントローラ１に入力される（ステップＳ５０１）。システムコントローラ1は、その記録開始信号を検知すると、音楽データの記録を開始するＭＤ上のトラックを表すトラック番号（以下、「記録開始ＴＮＯ」と記す。）を、現在割り当てられている最も下位のトラック番号に１を加えて得るトラック番号に設定する（ステップＳ５０２）。
【００７４】
当該処理では、シングルＣＤの音楽データが、ＭＤに既存の音楽データを上書きすることはなく、その既存の音楽データに追記される。これにより、ユーザの過誤で重要な音楽データが消去されること等を回避できる。
【００７５】
次いで、システムコントローラ１は、パラメータＤＮＯに１を設定する（ステップＳ５０３）。次いで、システムコントローラ１は、ＤＮＯに現在設定されているディスク番号に対応するシングルＣＤが装填されているか否かを判定する（ステップＳ５０４）。
【００７６】
そのディスク番号に対応するシングルＣＤが装填されていなければ（ステップＳ５０４；ＮＯ）、後述するステップＳ５１５へ進む。一方、そのディスク番号に対応するシングルＣＤが装填されていれば（ステップＳ５０４；ＹＥＳ）、システムコントローラ１の記録モード設定部１１は、圧縮方式をＡＴＲＡＣに設定する旨の記録モード設定信号をＭＤ記録再生部３へ出力する（ステップＳ５０５）。
【００７７】
次いで、システムコントローラ１は、ＣＤ再生部２を制御することにより、シングルＣＤの１曲目に記録されているメインデータの再生（PLAY）を開始（START）させると共に、ＭＤ記録再生部３を制御することにより、メインデータの記録（REC）を開始（START）させる。このとき、ＭＤ記録再生部３は、ＣＤ再生部２が再生するメインデータを、ステップＳ５０５で設定されたＡＴＲＡＣ方式で圧縮してＭＤへ記録する（ステップＳ５０６）。
【００７８】
ＭＤ記録再生部３は、メインデータの記録に際してＭＤ上におけるメインデータの記録開始アドレスや終了アドレス等をＵＴＯＣエリアに書き込むことによりＭＤ上にトラックを生成すると共に、生成したトラックに対応するトラック番号（記録開始ＴＮＯ）をＵＴＯＣエリアに書き込む。
【００７９】
その過程で、システムコントローラ１は、メインデータの再生が終了したか否かを判定し（ステップＳ５０７）、メインデータの再生が終了すると（ステップＳ５０７；ＹＥＳ）、システムコントローラ１は、メインデータのＭＤへの記録を一旦停止する（ステップＳ５０８）。このとき、システムコントローラ１は、メインデータを記録した低圧縮トラックを認識しておく（ステップＳ５０９）。この認識は、低圧縮トラックのトラック番号（ＴＮＯ）をワークメモリに一旦記憶させることにより行う。
【００８０】
次いで、システムコントローラ１は、記録開始ＴＮＯを、既に音楽データを記録したトラックに割り当てられているトラック番号の内、最も大きいトラック番号（以下、「最大ＴＮＯ」と記す。）に１を加算して得るトラック番号で以って更新する（ステップＳ５１０）。
【００８１】
次いで、システムコントローラ１の記録モード設定部１１は、圧縮方式をＡＴＲＡＣから、それよりも圧縮率の高いＡＴＲＡＣ３へ切替える旨の記録モード設定信号をＭＤ記録再生部３に出力する（ステップＳ５１１）。
【００８２】
次いで、システムコントローラ１は、ＣＤ再生部２を制御することにより、シングルＣＤにおける２曲目以降の音楽データの再生（PLAY）を開始（START）させると共に、ＭＤ記録再生部３を制御することにより、その再生する音楽データをＡＴＲＡＣ３方式で圧縮して、記録開始ＴＮＯが表すトラックから順次記録（REC）させていく（ステップＳ５１２）。
【００８３】
その過程で、システムコントローラ１は、メインデータ以外の音楽データの再生が終了したか否かを判定し（ステップＳ５１３）、全ての音楽データの再生が終了した場合（ステップＳ５１３；ＹＥＳ）、システムコントローラ１は、ＣＤ再生部２及びＭＤ記録再生部３に制御信号を出力して、ＣＤ再生部２を再生停止（PLAY STOP）状態に、ＭＤ記録再生部３を録音停止（REC STOP）状態に、夫々遷移させることにより、音楽データのＭＤへの記録を停止する（ステップＳ５１４）。
【００８４】
システムコントローラ１は、音楽データのＭＤへの記録を一旦停止させた場合、又はステップＳ５０３においてディスク番号に対応するＣＤが装填されていないと判定した場合（ステップＳ５０３；ＮＯ）は、パラメータＤＮＯの値を１増加する（ステップＳ５１５）。次いで、システムコントローラは、現在のＤＮＯの値が、ＣＤ装填部に装填し得る最大のＣＤ枚数を超えたか否かを判定する（ステップＳ５１６）。
【００８５】
ＤＮＯの値が、まだ最大のＣＤ枚数を超えない場合は（ステップＳ５１６；ＮＯ）、ステップＳ５１７へ進む。ステップＳ５１７において、システムコントローラ１は、メインデータ以外の音楽データを記録したトラックに割り当てられたトラック番号を１ずつ下位方向にシフトする（ステップＳ５１７）。尚、シフトは、ＵＴＯＣに管理されているトラック番号をＭＤ記録再生部３が再編集することにより行う。
【００８６】
次いで、システムコントローラ１は、ステップＳ５０９で記憶した低圧縮トラックに割り当てられているトラック番号に１を加算して得るトラック番号で以って記録開始ＴＮＯを更新する（ステップＳ５１８）。
【００８７】
ここで、ステップＳ５１７及びステップＳ５１８の処理を、図６（ａ）及び図６（ｂ）に示す具体例を参照して説明する。図６（ａ）において、メインデータ「Ａ」が記録されているトラックには、「ＴＮＯ１」が割り当てられており、音楽データ「Ｂ」が記録されているトラックには、「ＴＮＯ２」が割り当てられており、音楽データ「Ｃ」が記録されているトラックには、「ＴＮＯ３」が割り当てられている。
【００８８】
システムコントローラ１は、ステップＳ５１７において、「ＴＮＯ２」、「ＴＮＯ３」を下位方向に１ずつシフトする。これにより、図６（ｂ）に示す様に、音楽データ「Ｂ」，「Ｃ」が記録されているトラックには、夫々トラック番号「ＴＮＯ３」、「ＴＮＯ４」が割り当てられることになる。
【００８９】
かくして、トラック番号「ＴＮＯ２」は何れのトラックにも割り当てられないこととなるわけであるが、この「ＴＮＯ２」が、低圧縮トラックのトラック番号「ＴＮＯ１」に１を加算して得るトラック番号であるので、ステップＳ５１８においてシステムコントローラ１は、記録開始ＴＮＯを「ＴＮＯ２」で以って更新するのである。
【００９０】
ステップＳ５１８の処理を終えると、再びステップＳ５０４に戻る。以下、ステップＳ５０４乃至ステップＳ５１６の２回目の処理について説明する。２回目のステップＳ５０４において、システムコントローラ１は、ＤＮＯに現在設定されているディスク番号に対応するシングルＣＤが装填されているか否かを判定し、そのディスク番号に対応するシングルルＣＤが装填されていれば（ステップＳ５０４；ＹＥＳ）、システムコントローラ１は、圧縮方式を再びＡＴＲＡＣ３からＡＴＲＡＣへ切替える（ステップＳ５０５）。
【００９１】
次いで、システムコントローラ１は、２枚目のシングルＣＤのメインデータを再生すると同時に、その再生するメインデータを、ステップＳ５０５で設定したＡＴＲＡＣ方式で圧縮して記録開始ＴＮＯが表すトラックに記録する（ステップＳ５０６）。
【００９２】
具体的には、いま記録開始ＴＮＯには、「ＴＮＯ２」が設定されているので、図６（ｃ）に示す様に、「ＴＮＯ２」が表すトラックに２枚目のシングルＣＤのメインデータ「Ｄ」を記録する。
【００９３】
メインデータの再生が終了すると（ステップＳ５０７；ＹＥＳ）、システムコントローラ１は、メインデータのＭＤへの記録を一旦停止させる（ステップＳ５０８）。このとき、システムコントローラ１は、メインデータを記録した低圧縮トラックのトラック番号をワークメモリに記憶しておく（ステップＳ５０９）。
【００９４】
図６（ｃ）を参照して具体的に説明すると、システムコントローラ１は、ＭＤ記録再生部３が、メインデータ「Ｄ」を記録した低圧縮トラックのトラック番号「ＴＮＯ２」をワークメモリに記憶しておく。
【００９５】
次いで、システムコントローラ１は、既に音楽データを記録したトラックに割り当てられているトラック番号の内、最も大きいトラック番号（最大ＴＮＯ）に１を加算して得るトラック番号で以って記録開始ＴＮＯを更新する。
【００９６】
この処理を図６（ｃ）を参照して具体的に説明すると、いま既に音楽データ「Ｂ」、「Ｃ」を記録したトラックには、夫々トラック番号「ＴＮＯ３」、「ＴＮＯ４」が割り当てられている。これらの内、最も下位のトラック番号（最大ＴＮＯ）は、「ＴＮＯ４」であるので、システムコントローラ１は、この「ＴＮＯ４」に１を加算して得る「ＴＮＯ５」で以って記録開始ＴＮＯを更新する。
【００９７】
次いで、システムコントローラ１の記録モード設定部１１は、圧縮方式をＡＴＲＡＣから、それよりも圧縮率の高いＡＴＲＡＣ３へ切替える旨の記録モード設定信号をＭＤ記録再生部３へ出力する（ステップＳ５１１）。次いで、システムコントローラ１は、ＣＤ再生部２を制御することにより、シングルＣＤにおける２曲目以降の音楽データの再生（PLAY）を開始（START）させると同時に、ＭＤ記録再生部３を制御することにより、その音楽データを、ステップＳ５１１で設定したＡＴＲＡＣ３方式で圧縮させ、記録開始ＴＮＯが表すトラックから順次記録（REC）させていく（ステップＳ５１２）。
【００９８】
具体的には、いま記録開始ＴＮＯには「ＴＮＯ５」が設定されているのでシステムコントローラ１は、２枚目のシングルＣＤのメインデータ以降の音楽データ「Ｅ」及び「Ｆ」を再生させると同時に、その再生する音楽データ「Ｅ」及び「Ｆ」を、ＡＴＲＡＣ３方式で圧縮してＭＤのトラックに記録すると共に、その記録したトラックに「ＴＮＯ５」から昇順にトラック番号を割り当てる。これにより、図６（ｃ）に示す様に、音楽データ「Ｅ」が記録されたトラックには、「ＴＮＯ５」が割り当てられ、音楽データ「Ｆ」が記録されたトラックには、「ＴＮＯ６」が割り当てられる。
【００９９】
全ての音楽データの再生が終了した場合（ステップＳ５１３；ＹＥＳ）、システムコントローラ１は、音楽データのＭＤへの記録を一旦停止（REC PAUSE）させ（ステップＳ５１４）、パラメータＤＮＯの値を１増加する（ステップＳ５１５）。次いで、システムコントローラ１は、現在のＤＮＯの値が、ＣＤ装填部に装填し得る最大のＣＤ枚数を超えたか否か判定する（ステップＳ５１６）。
【０１００】
ＤＮＯの値が、まだ最大のＣＤ枚数を超えない場合は（ステップＳ５１６；ＮＯ）、ステップＳ５１７へ進む。ステップＳ５１７において、システムコントローラ１は、ＭＤ記録再生部３を制御し、ＭＤ記録再生部３に次の様な動作を行わしめる。即ち、ＵＴＯＣエリア内のトラック番号を一元管理する領域を編集させることにより、メインデータ以降の音楽データを記録したトラックに割り当てられたトラック番号を１ずつシフトさせる（ステップＳ５１７）。
【０１０１】
次いで、システムコントローラ１は、２回目のステップＳ５０９で記憶した低圧縮トラックのトラック番号に１を加算して得るトラック番号で以って記録開始ＴＮＯを更新する（ステップＳ５１８）。
【０１０２】
図６（ｃ）を参照して具体的に説明すると、システムコントローラ１は、ＭＤ記録再生部３に対し、メインデータ以外の音楽データ「Ｂ」、「Ｃ」、「Ｅ」、「Ｆ」を記録した４つのトラックに夫々割り当てられたトラック番号「ＴＮＯ３」、「ＴＮＯ４」、「ＴＮＯ５」、「ＴＮＯ６」を１ずつシフトさせる。
【０１０３】
これにより、図６（ｄ）に示す様に、音楽データ「Ｂ」、「Ｃ」、「Ｅ」、「Ｆ」を記録した４つのトラックには、夫々「ＴＮＯ４」、「ＴＮＯ５」、「ＴＮＯ６」、「ＴＮＯ７」が割り当てられ、トラック番号「ＴＮＯ３」は何れのトラックにも割り当てられないことになる。
【０１０４】
このトラック番号「ＴＮＯ３」は、２回目のステップＳ５０９で記憶した低圧縮トラックのトラック番号「ＴＮＯ２」に１を加算して得るトラック番号であるので、システムコントローラ１は、「ＴＮＯ３」で以って記録開始ＴＮＯを更新する。
【０１０５】
システムコントローラ１は、同様の処理を繰り返し行ない、ＤＮＯの値が最大のシングルＣＤ枚数を超えた場合は（ステップＳ５１６；ＹＥＳ）、当該処理を終了する。終了時には、例えば、図６（ｅ）に示す様に、メインデータ（「Ａ」、「Ｄ」、「Ｇ」）に上位のトラック番号（「ＴＮＯ１」、「ＴＮＯ２」、「ＴＮＯ３」）が割り当てられる。
【０１０６】
以上説明した様に、本実施の形態におけるオーディオ機器１によれば、次の様な効果が得られる。
【０１０７】
（１）ＭＤ記録再生部３は、ＣＤ再生部２から出力される音楽データを圧縮してＭＤに記録するので、ＭＤの記録領域を節約できる。また、このときＭＤ記録再生部３は、ユーザにとって嗜好性の高いメインデータをＡＴＲＡＣ方式で圧縮してＭＤに記録する一方、メインデータ以外の音楽データをＡＴＲＡＣよりも圧縮率の高いＡＴＲＡＣ３で圧縮してＭＤに記録するので、重要なメインデータをダビングするに当たって、その音質が低下するのを回避できる。
【０１０８】
（２）操作部４のダビングキーを押下操作するだけで、ＣＤに予め記録されている重要なメインデータとそれ以外のデータの記録モードが自動的に変更されてＭＤにダビングされるので、ユーザは煩雑なマニュアル操作を要することなく簡便な操作で上記の様な記録モードの変更を伴うダビングを容易に行える。
【０１０９】
（３）ＭＤの各トラックに記録された音楽データを再生する際は、トラック番号順に音楽データが再生されるわけであるが、ＭＤ記録再生部３が、メインデータが記録されるトラックに対応するトラック番号が、当該メインデータ以外の音楽データが記録される何れのトラックに対応するトラック番号よりも若く、且つ連続した番号となる様にＵＴＯＣ上のトラック番号を編集するので、ユーザはメインデータが記録されているトラックを検索することなくメインデータのみをいち早く連続して再生できるという利便性がある。
【０１１０】
尚、本実施の形態における記述内容は、本発明に係るオーディオ機器１の好適な１例であり、本発明はこれに限定されるものではない。
【０１１１】
例えば、低い圧縮率で圧縮するのは、シングルＣＤの1曲目の音楽データに限定されるものではない。従って、例えばカラオケ曲が重要な場合は、システムコントローラ１が、シングルＣＤの２又は３曲の音楽データをメインデータとして認識する様に設計変更してもよい。更に、予めＣＤ枚にユーザが重要なメインデータを指定できる様にしてもよい。この様にすれば、当該オーディオ機器１の汎用性を一層向上できる。
【０１１２】
また、記録元となる記録媒体としては、読出し可能なものであれば特にＣＤに限定されない。更に、記録先となる記録媒体としては、書き込み可能なものであれば特にＭＤに限定されず、ＤＶＤ（Digital Versatile ＤＩＳＣ）−ＲやＤＶＤ−ＲＡＭ等の記録媒体であってもよい。
【０１１３】
更に、データの圧縮方式はＡＴＲＡＣやＡＴＲＡＣ３に限定されるものではなく、ＭＰＥＧ１方式のＬａｙｅｒ３に対応する圧縮方式（ＭＰ３と称されている）でもよい。その他、オーディオ機器１の細部構成、及び動作に関しても、本発明の趣旨を逸脱することのない範囲で適宜に変更可能であることは勿論である。
【０１１４】
【発明の効果】
請求項１記載の発明によれば、第２の記録媒体の記録領域を節約できるだけでなく、記録手段は、認識手段が認識するメインデータを、第1の圧縮方式で圧縮して第２の記録媒体に記録する一方、第1の記録媒体に記録されているメインデータ以外のデータを、第1の圧縮方式よりも圧縮率の高い第２の圧縮方式で圧縮して第２の記録媒体に記録するので、重要なデータ即ちメインデータを記録するに当たって、そのデータ品質が低下することを回避できる。また、重要なメインデータとそれ以外のデータとの記録方式の変更が実質的に自動化されるので、ユーザの操作負担を軽減できる。
【０１１５】
さらに、請求項１記載の発明によれば、メインデータが記録されているトラックを検索する操作をせずにメインデータのみをいち早く再生できるという利便性を提供できる。
【０１１６】
さらに、ユーザは第２の記録媒体の各トラックに記録されたデータを再生する際は、重要なメインデータのみを連続して再生できるという利便性を提供できる。
【０１１７】
請求項２記載の発明によれば、請求項１記載の発明の効果に加えて、各トラック番号を編集する為の記録領域を共用することができるので、トラック番号の編集を迅速且つ的確に行える。
【０１１８】
請求項３記載の発明によれば、請求項１記載の発明の効果に加えて、認識手段は、複数のデータの内、最も上位のトラック番号が割り当てられたトラックに記録されているデータを前記メインデータとして認識するので、例えば、シングルＣＤにおいて最も上位のトラック番号が割り当てられたトラックに記録されている嗜好性の高い１曲目の音楽データを記録する際の利便性を向上できる。
【図面の簡単な説明】
【図１】本発明を適用したオーディオ機器の内部構成を示すブロック図である。
【図２】オーディオ機器の動作シーケンスの１態様を示すフローチャートである。
【図３】オーディオ機器の動作シーケンスの変形例を示すフローチャートである。
【図４】図３に示す動作シーケンスを具体的に説明する為の図である。
【図５】オーディオ機器の動作シーケンスの更に別の態様を示すフローチャートである。
【図６】図５に示す動作シーケンスを具体的に説明する為の図である。
【符号の説明】
１    システムコントローラ
２    ＣＤ再生部
３    ＭＤ記録再生部
４    操作部
５    表示部
６    Ｄ／Ａ変換器
１０    オーディオ機器
１１    記録モード設定部
【図１】
0003769464.tif 000002
【図２】
0003769464.tif 000003
【図３】
0003769464.tif 000004
【図４】
0003769464.tif 000005
【図５】
0003769464.tif 000006
【図６】
0003769464.tif 000007